【手続補正書】
【提出日】平成25年4月2日(2013.4.2)
【手続補正１】
【補正対象書類名】特許請求の範囲
【補正対象項目名】全文
【補正方法】変更
【補正の内容】
【特許請求の範囲】
【請求項１】
端末装置と、前記端末装置に電子書籍を配信するための配信システムと、を含み、ユーザに電子書籍を提供する電子書籍提供システムにおいて、
前記配信システムは、
広告に関する広告語句に置換すべき前記電子書籍の文章中の置換対象語句として前記電子書籍の作者によって指定された語句、又は、前記広告語句を元々の語句に換えて挿入すべき前記電子書籍の文章中の位置として前記電子書籍の作者によって指定された位置、を示すタグが文章中に設定された電子書籍を記憶する電子書籍記憶手段に記憶される前記電子書籍を取得する手段と、
前記電子書籍記憶手段に記憶される電子書籍が、前記置換対象語句を示すタグが文章中に設定された電子書籍である場合に、広告主によって指定された、前記置換対象語句又は前記タグと前記広告語句との組み合わせを記憶し、前記電子書籍記憶手段に記憶される電子書籍が、前記位置を示すタグが文章中に設定された電子書籍である場合に、前記広告主によって指定された、前記タグと前記広告語句との組み合わせを記憶する広告語句記憶手段の記憶内容を取得する手段と、を含み、
前記電子書籍提供システムは、
前記電子書籍の文章中に含まれるタグと、前記広告語句記憶手段の記憶内容と、に基づいて、前記広告語句を前記電子書籍の文章中に挿入する広告語句挿入手段を含み、
前記端末装置は、
前記広告語句挿入手段による広告語句の挿入が行われた電子書籍を、前記端末装置に含まれる出力手段に出力させる出力制御手段を含む、
ことを特徴とする電子書籍提供システム。
【請求項２】
請求項１に記載の電子書籍提供システムにおいて、
前記電子書籍記憶手段に記憶される電子書籍は、前記置換対象語句を示すタグが文章中に設定された電子書籍であり、
前記広告語句記憶手段は、前記広告主によって指定された、前記置換対象語句又は前記タグと前記広告語句との組み合わせを記憶し、
前記広告語句挿入手段は、前記タグによって示される前記電子書籍の文章中の置換対象語句を、該置換対象語句又は該タグに対応づけられた広告語句に置き換えることによって、該広告語句を前記電子書籍の文章中に挿入する、
ことを特徴とする電子書籍提供システム。
【請求項３】
請求項２に記載の電子書籍提供システムにおいて、
前記広告語句記憶手段は、前記広告主によって指定された、前記置換対象語句と前記広告語句との組み合わせを記憶し、
前記広告語句挿入手段は、前記タグによって示される前記電子書籍の文章中の置換対象語句と、前記広告語句に対応づけられた置換対象語句と、が一致するか否かを判定し、前記タグによって示される前記電子書籍の文章中の置換対象語句と、前記広告語句に対応づけられた置換対象語句と、が一致する場合に、前記タグによって示される前記電子書籍の文章中の置換対象語句を該広告語句に置き換えることによって、該広告語句を前記電子書籍の文章中に挿入する、
ことを特徴とする電子書籍提供システム。
【請求項４】
請求項２に記載の電子書籍提供システムにおいて、
前記広告語句記憶手段は、前記広告主によって指定された、前記タグと前記広告語句との組み合わせを記憶し、
前記広告語句挿入手段は、前記タグによって示される前記電子書籍の文章中の置換対象語句を、該タグに対応づけられた広告語句に置き換えることによって、該広告語句を前記電子書籍の文章中に挿入する、
ことを特徴とする電子書籍提供システム。
【請求項５】
請求項１に記載の電子書籍提供システムにおいて、
前記電子書籍記憶手段に記憶される電子書籍は、前記位置を示すタグが文章中に設定された電子書籍であり、
前記広告語句記憶手段は、前記広告主によって指定された、前記タグと前記広告語句との組み合わせを記憶し、
前記広告語句挿入手段は、前記タグによって示される前記電子書籍の文章中の位置に、該タグに対応づけられた広告語句を挿入する、
ことを特徴とする電子書籍提供システム。
【請求項６】
請求項１乃至５のいずれかに記載の電子書籍提供システムにおいて、
前記広告語句挿入手段は前記配信システムに含まれ、
前記配信システムは、前記広告語句挿入手段による広告語句の挿入が行われた電子書籍を前記端末装置に送信する電子書籍送信手段をさらに含み、
前記端末装置は、前記電子書籍送信手段によって送信された電子書籍を受信する電子書籍受信手段をさらに含み、
前記出力制御手段は、前記電子書籍受信手段によって受信された電子書籍に基づいて、前記広告語句挿入手段による広告語句の挿入が行われた電子書籍を前記出力手段に出力させる、
ことを特徴とする電子書籍提供システム。
【請求項７】
請求項２に記載の電子書籍提供システムにおいて、
前記配信システムは、
前記電子書籍取得手段によって取得された電子書籍を前記端末装置に送信する電子書籍送信手段と、
前記置換対象語句又は前記タグと前記広告語句との対応関係に関する対応関係情報を、前記広告語句記憶手段の記憶内容に基づいて取得して、該対応関係情報を前記端末装置に送信する対応関係情報送信手段と、をさらに含み、
前記端末装置は、
前記電子書籍送信手段によって送信された電子書籍を受信する電子書籍受信手段と、
前記対応関係情報送信手段によって送信された対応関係情報を受信する対応関係情報受信手段と、をさらに含み、
前記広告語句挿入手段は前記端末装置に含まれ、
前記広告語句挿入手段は、前記電子書籍の文章中に含まれるタグと、前記対応関係情報受信手段によって受信された対応関係情報と、に基づいて、前記広告語句を前記電子書籍の文章中に挿入する、
ことを特徴とする電子書籍提供システム。
【請求項８】
請求項７に記載の電子書籍提供システムにおいて、
前記端末装置は、前記電子書籍受信手段によって受信された電子書籍を受信電子書籍記憶手段に記憶させる手段を含み、
前記対応関係送信手段は、前記端末装置に前記対応関係情報を送信した後において前記端末装置から前記配信システムへのアクセスが発生した場合に、前記置換対象語句又は前記タグと前記広告語句との対応関係が更新された対応関係情報を前記端末装置に送信し、
前記広告語句挿入手段は、前記置換対象語句又は前記タグと前記広告語句との対応関係が更新された対応関係情報が受信された場合に、前記受信電子書籍記憶手段に記憶された電子書籍と、該対応関係情報と、に基づいて、前記広告語句を前記電子書籍の文章中に挿入する、
ことを特徴とする電子書籍提供システム。
【請求項９】
請求項５に記載の電子書籍提供システムにおいて、
前記配信システムは、
前記電子書籍取得手段によって取得された電子書籍を前記端末装置に送信する電子書籍送信手段と、
前記タグと前記広告語句との対応関係に関する対応関係情報を、前記広告語句記憶手段の記憶内容に基づいて取得して、該対応関係情報を前記端末装置に送信する対応関係情報送信手段と、をさらに含み、
前記端末装置は、
前記電子書籍送信手段によって送信された電子書籍を受信する電子書籍受信手段と、
前記対応関係情報送信手段によって送信された対応関係情報を受信する対応関係情報受信手段と、をさらに含み、
前記広告語句挿入手段は前記端末装置に含まれ、
前記広告語句挿入手段は、前記電子書籍の文章中に含まれるタグと、前記対応関係情報受信手段によって受信された対応関係情報と、に基づいて、前記広告語句を前記電子書籍の文章中に挿入する、
ことを特徴とする電子書籍提供システム。
【請求項１０】
請求項９に記載の電子書籍提供システムにおいて、
前記端末装置は、前記電子書籍受信手段によって受信された電子書籍を受信電子書籍記憶手段に記憶させる手段を含み、
前記対応関係送信手段は、前記端末装置に前記対応関係情報を送信した後において前記端末装置から前記配信システムへのアクセスが発生した場合に、前記タグと前記広告語句との対応関係が更新された対応関係情報を前記端末装置に送信し、
前記広告語句挿入手段は、前記タグと前記広告語句との対応関係が更新された対応関係情報が受信された場合に、前記受信電子書籍記憶手段に記憶された電子書籍と、該対応関係情報と、に基づいて、前記広告語句を前記電子書籍の文章中に挿入する、
ことを特徴とする電子書籍提供システム。
【請求項１１】
請求項６に記載の電子書籍提供システムにおいて、
前記配信システムは、広告主への課金額を、該広告主に係る広告語句を含んだ電子書籍が前記電子書籍送信手段によって送信された回数に基づいて算出する広告課金手段を含むことを特徴とする電子書籍提供システム。
【請求項１２】
請求項７又は８に記載の電子書籍提供システムにおいて、
前記配信システムは、広告主への課金額を、該広告主に係る広告語句がいずれかの置換対象語句又はタグに対応づけられた対応関係情報が前記対応関係情報送信手段によって送信された回数に基づいて算出する広告課金手段を含むことを特徴とする電子書籍提供システム。
【請求項１３】
請求項９又は１０に記載の電子書籍提供システムにおいて、
前記配信システムは、広告主への課金額を、該広告主に係る広告語句がいずれかのタグに対応づけられた対応関係情報が前記対応関係情報送信手段によって送信された回数に基づいて算出する広告課金手段を含むことを特徴とする電子書籍提供システム。
【請求項１４】
請求項１乃至１０のいずれかに記載の電子書籍提供システムにおいて、
前記配信システムは、広告主への課金額を、前記電子書籍に挿入される該広告主に係る広告語句の数に基づいて算出する広告課金手段を含むことを特徴とする電子書籍提供システム。
【請求項１５】
請求項１乃至１０のいずれかに記載の電子書籍提供システムにおいて、
前記端末装置は、前記広告語句の出力回数に関する情報を前記配信システムに送信する送信手段を含み、
前記配信システムは、
前記送信手段によって送信された前記情報を受信する受信手段と、
広告主への課金額を、前記受信手段によって受信された前記情報が示す該広告主に係る広告語句の出力回数に基づいて算出する広告課金手段と、を含む、
ことを特徴とする電子書籍提供システム。
【請求項１６】
請求項１乃至１０のいずれかに記載の電子書籍提供システムにおいて、
前記配信システムは、広告主への課金額を、該広告主に係る広告語句が挿入される前記電子書籍の文章中の位置に基づいて算出する広告課金手段を含むことを特徴とする電子書籍提供システム。
【請求項１７】
請求項１６に記載の電子書籍提供システムにおいて、
前記広告課金手段は、
前記電子書籍の文章中の部分と、前記広告主への課金額に関する情報と、を対応づけて記憶する手段の記憶内容を取得する手段と、
前記広告主への課金額を、該広告主に係る広告語句が挿入される位置が含まれる部分に対応づけられた前記情報に基づいて算出する手段と、を含む、
ことを特徴とする電子書籍提供システム。
【請求項１８】
請求項１６に記載の電子書籍提供システムにおいて、
前記広告課金手段は、前記広告主への課金額を、該広告主に係る広告語句が挿入される位置と、他の広告語句が挿入される位置と、の間の距離に基づいて算出することを特徴とする電子書籍提供システム。
【請求項１９】
請求項１６に記載の電子書籍提供システムにおいて、
前記広告課金手段は、前記広告主への課金額を、前記電子書籍の所定数ページ中に挿入される、該広告主に係る広告語句の数と、該広告語句以外の広告語句の数と、の比較結果に基づいて算出することを特徴とする電子書籍提供システム。
【請求項２０】
請求項１乃至１９のいずれかに記載の電子書籍提供システムにおいて、
前記配信システムは、前記電子書籍の販売価格を、該電子書籍の文章中に広告語句が挿入されることによって生じる該広告語句に係る広告主への課金額に基づいて決定する販売価格決定手段を含むことを特徴とする電子書籍提供システム。
【請求項２１】
請求項１乃至１９のいずれかに記載の電子書籍提供システムにおいて、
前記配信システムは、
各ユーザを識別するためのユーザ識別情報に対応づけて、電子書籍を購入する場合に通貨として用いることが可能なポイントを該ユーザがどれだけ有しているかを示すポイント情報を記憶するポイント記憶手段と、
前記電子書籍の提供を受けたユーザの前記識別情報に対応づけて記憶される前記ポイント情報を、該電子書籍に広告語句が挿入されることによって生じる該広告語句に係る広告主への課金額に基づいて、該ユーザが有するポイントが増加するように更新するポイント情報更新手段と、を含む、
ことを特徴とする電子書籍提供システム。
【請求項２２】
請求項１乃至２１のいずれかに記載の電子書籍提供システムにおいて、
前記端末装置は、前記電子書籍を複数行にわたって表示可能な表示手段を含み、
前記出力制御手段は、前記表示手段の１行あたりの文字数に応じて改行しながら前記電子書籍を前記表示手段に表示させ、
前記出力制御手段は、前記広告語句の途中における改行を抑止し、前記広告語句の前で改行させる手段を含む、
ことを特徴とする電子書籍提供システム。
【請求項２３】
請求項１乃至２１のいずれかに記載の電子書籍提供システムにおいて、
前記端末装置は、前記電子書籍を複数行にわたって表示可能な表示手段を含み、
前記出力制御手段は、前記表示手段の１行あたりの文字数に応じて改行しながら前記電子書籍を前記表示手段に表示させ、
前記広告語句挿入手段は、
前記広告語句の挿入が行われた後の電子書籍が前記表示手段に表示される場合に該広告語句の途中で改行が行われるか否かを予測する予測手段と、
前記予測手段による予測結果に基づいて前記広告語句の挿入を抑止する手段と、を含む、
ことを特徴とする電子書籍提供システム。
【請求項２４】
端末装置と、前記端末装置に電子書籍を配信するための配信システムと、を含む電子書籍提供システムの制御方法において、
広告に関する広告語句に置換すべき前記電子書籍の文章中の置換対象語句として前記電子書籍の作者によって指定された語句、又は、前記広告語句を元々の語句に換えて挿入すべき前記電子書籍の文章中の位置として前記電子書籍の作者によって指定された位置、を示すタグが文章中に設定された電子書籍を記憶する電子書籍記憶手段に記憶される前記電子書籍を前記配信システムが取得するステップと、
前記電子書籍記憶手段に記憶される電子書籍が、前記置換対象語句を示すタグが文章中に設定された電子書籍である場合に、広告主によって指定された、前記置換対象語句又は前記タグと前記広告語句との組み合わせを記憶し、前記電子書籍記憶手段に記憶される電子書籍が、前記位置を示すタグが文章中に設定された電子書籍である場合に、前記広告主によって指定された、前記タグと前記広告語句との組み合わせを記憶する広告語句記憶手段の記憶内容を前記配信システムが取得するステップと、
前記配信システム又は前記端末装置が、前記電子書籍の文章中に含まれるタグと、前記広告語句記憶手段の記憶内容と、に基づいて、前記広告語句を前記電子書籍の文章中に挿入する広告語句挿入ステップと、
前記端末装置が、前記広告語句挿入ステップによる広告語句の挿入が行われた電子書籍を、前記端末装置に含まれる出力手段に出力させる出力制御ステップと、
を含むことを特徴とする電子書籍提供システムの制御方法。
【請求項２５】
端末装置に電子書籍を配信するための電子書籍配信装置において、
広告に関する広告語句に置換すべき前記電子書籍の文章中の置換対象語句として前記電子書籍の作者によって指定された語句、又は、前記広告語句を元々の語句に換えて挿入すべき前記電子書籍の文章中の位置として前記電子書籍の作者によって指定された位置、を示すタグが文章中に設定された電子書籍を記憶する電子書籍記憶手段に記憶される前記電子書籍を取得する手段と、
前記電子書籍記憶手段に記憶される電子書籍が、前記置換対象語句を示すタグが文章中に設定された電子書籍である場合に、広告主によって指定された、前記置換対象語句又は前記タグと前記広告語句との組み合わせを記憶し、前記電子書籍記憶手段に記憶される電子書籍が、前記位置を示すタグが文章中に設定された電子書籍である場合に、前記広告主によって指定された、前記タグと前記広告語句との組み合わせを記憶する広告語句記憶手段の記憶内容を取得する手段と、
前記電子書籍の文章中に含まれるタグと、前記広告語句記憶手段の記憶内容と、に基づいて、前記広告語句を前記電子書籍の文章中に挿入する広告語句挿入手段と、
前記広告語句挿入手段による広告語句の挿入が行われた電子書籍を前記端末装置に送信する電子書籍送信手段と、
を含むことを特徴とする電子書籍配信装置。
【請求項２６】
端末装置に電子書籍を配信するための電子書籍配信装置の制御方法において、
広告に関する広告語句に置換すべき前記電子書籍の文章中の置換対象語句として前記電子書籍の作者によって指定された語句、又は、前記広告語句を元々の語句に換えて挿入すべき前記電子書籍の文章中の位置として前記電子書籍の作者によって指定された位置、を示すタグが文章中に設定された電子書籍を記憶する電子書籍記憶手段に記憶される前記電子書籍を取得するステップと、
前記電子書籍記憶手段に記憶される電子書籍が、前記置換対象語句を示すタグが文章中に設定された電子書籍である場合に、広告主によって指定された、前記置換対象語句又は前記タグと前記広告語句との組み合わせを記憶し、前記電子書籍記憶手段に記憶される電子書籍が、前記位置を示すタグが文章中に設定された電子書籍である場合に、前記広告主によって指定された、前記タグと前記広告語句との組み合わせを記憶する広告語句記憶手段の記憶内容を取得するステップと、
前記電子書籍の文章中に含まれるタグと、前記広告語句記憶手段の記憶内容と、に基づいて、前記広告語句を前記電子書籍の文章中に挿入する広告語句挿入ステップと、
前記広告語句挿入ステップによる広告語句の挿入が行われた電子書籍を前記端末装置に送信する電子書籍送信ステップと、
を含むことを特徴とする電子書籍配信装置の制御方法。
【請求項２７】
端末装置に電子書籍を配信するための電子書籍配信装置としてコンピュータを機能させるためのプログラムにおいて、
広告に関する広告語句に置換すべき前記電子書籍の文章中の置換対象語句として前記電子書籍の作者によって指定された語句、又は、前記広告語句を元々の語句に換えて挿入すべき前記電子書籍の文章中の位置として前記電子書籍の作者によって指定された位置、を示すタグが文章中に設定された電子書籍を記憶する電子書籍記憶手段に記憶される前記電子書籍を取得する手段、
前記電子書籍記憶手段に記憶される電子書籍が、前記置換対象語句を示すタグが文章中に設定された電子書籍である場合に、広告主によって指定された、前記置換対象語句又は前記タグと前記広告語句との組み合わせを記憶し、前記電子書籍記憶手段に記憶される電子書籍が、前記位置を示すタグが文章中に設定された電子書籍である場合に、前記広告主によって指定された、前記タグと前記広告語句との組み合わせを記憶する広告語句記憶手段の記憶内容を取得する手段、
前記電子書籍の文章中に含まれるタグと、前記広告語句記憶手段の記憶内容と、に基づいて、前記広告語句を前記電子書籍の文章中に挿入する広告語句挿入手段、及び、
前記広告語句挿入手段による広告語句の挿入が行われた電子書籍を前記端末装置に送信する電子書籍送信手段、
として前記コンピュータを機能させるためのプログラム。
【請求項２８】
電子書籍を配信するための電子書籍配信装置と通信可能に接続される端末装置において、
広告に関する広告語句に置換すべき前記電子書籍の文章中の置換対象語句として前記電子書籍の作者によって指定された語句を示すタグが文章中に設定された電子書籍を前記電子書籍配信装置から受信する電子書籍受信手段と、
広告主によって指定された、前記置換対象語句又は前記タグと前記広告語句との対応関係に関する対応関係情報を前記電子書籍配信装置から受信する対応関係情報受信手段と、
前記電子書籍の文章中に含まれるタグと、前記対応関係情報と、に基づいて、前記広告語句を前記電子書籍の文章中に挿入する広告語句挿入手段と、
前記広告語句挿入手段による広告語句の挿入が行われた電子書籍を出力手段に出力させる出力制御手段と、
を含むことを特徴とする端末装置。
【請求項２９】
電子書籍を配信するための電子書籍配信装置と通信可能に接続される端末装置の制御方法において、
広告に関する広告語句に置換すべき前記電子書籍の文章中の置換対象語句として前記電子書籍の作者によって指定された語句を示すタグが文章中に設定された電子書籍を前記電子書籍配信装置から受信する電子書籍受信ステップと、
広告主によって指定された、前記置換対象語句又は前記タグと前記広告語句との対応関係に関する対応関係情報を前記電子書籍配信装置から受信する対応関係情報受信ステップと、
前記電子書籍の文章中に含まれるタグと、前記対応関係情報と、に基づいて、前記広告語句を前記電子書籍の文章中に挿入する広告語句挿入ステップと、
前記広告語句挿入ステップによる広告語句の挿入が行われた電子書籍を出力手段に出力させる出力制御ステップと、
を含むことを特徴とする端末装置の制御方法。
【請求項３０】
電子書籍を配信するための電子書籍配信装置と通信可能に接続される端末装置としてコンピュータを機能させるためのプログラムであって、
広告に関する広告語句に置換すべき前記電子書籍の文章中の置換対象語句として前記電子書籍の作者によって指定された語句を示すタグが文章中に設定された電子書籍を前記電子書籍配信装置から受信する電子書籍受信手段、
広告主によって指定された、前記置換対象語句又は前記タグと前記広告語句との対応関係に関する対応関係情報を前記電子書籍配信装置から受信する対応関係情報受信手段、
前記電子書籍の文章中に含まれるタグと、前記対応関係情報と、に基づいて、前記広告語句を前記電子書籍の文章中に挿入する広告語句挿入手段、及び、
前記広告語句挿入手段による広告語句の挿入が行われた電子書籍を出力手段に出力させる出力制御手段、
として前記コンピュータを機能させるためのプログラム。
【請求項３１】
電子書籍を配信するための電子書籍配信装置と通信可能に接続される端末装置において、
広告に関する広告語句を元々の語句に換えて挿入すべき前記電子書籍の文章中の位置として前記電子書籍の作者によって指定された位置を示すタグが文章中に設定された電子書籍を前記電子書籍配信装置から受信する電子書籍受信手段と、
広告主によって指定された、前記タグと前記広告語句との対応関係に関する対応関係情報を前記電子書籍配信装置から受信する対応関係情報受信手段と、
前記電子書籍の文章中に含まれるタグと、前記対応関係情報と、に基づいて、前記広告語句を前記電子書籍の文章中に挿入する広告語句挿入手段と、
前記広告語句挿入手段による広告語句の挿入が行われた電子書籍を出力手段に出力させる出力制御手段と、
を含むことを特徴とする端末装置。
【請求項３２】
電子書籍を配信するための電子書籍配信装置と通信可能に接続される端末装置の制御方法において、
広告に関する広告語句を元々の語句に換えて挿入すべき前記電子書籍の文章中の位置として前記電子書籍の作者によって指定された位置を示すタグが文章中に設定された電子書籍を前記電子書籍配信装置から受信する電子書籍受信ステップと、
広告主によって指定された、前記タグと前記広告語句との対応関係に関する対応関係情報を前記電子書籍配信装置から受信する対応関係情報受信ステップと、
前記電子書籍の文章中に含まれるタグと、前記対応関係情報と、に基づいて、前記広告語句を前記電子書籍の文章中に挿入する広告語句挿入ステップと、
前記広告語句挿入ステップによる広告語句の挿入が行われた電子書籍を出力手段に出力させる出力制御ステップと、
を含むことを特徴とする端末装置の制御方法。
【請求項３３】
電子書籍を配信するための電子書籍配信装置と通信可能に接続される端末装置としてコンピュータを機能させるためのプログラムであって、
広告に関する広告語句を元々の語句に換えて挿入すべき前記電子書籍の文章中の位置として前記電子書籍の作者によって指定された位置を示すタグが文章中に設定された電子書籍を前記電子書籍配信装置から受信する電子書籍受信手段、
広告主によって指定された、前記タグと前記広告語句との対応関係に関する対応関係情報を前記電子書籍配信装置から受信する対応関係情報受信手段、
前記電子書籍の文章中に含まれるタグと、前記対応関係情報と、に基づいて、前記広告語句を前記電子書籍の文章中に挿入する広告語句挿入手段、及び、
前記広告語句挿入手段による広告語句の挿入が行われた電子書籍を出力手段に出力させる出力制御手段、
として前記コンピュータを機能させるためのプログラム。
【請求項３４】
請求項２７、３０、又は３３に記載のプログラムを記録したコンピュータ読み取り可能な情報記憶媒体。